【手続補正書】
【提出日】平成21年1月29日(2009.1.29)
【手続補正１】
【補正対象書類名】特許請求の範囲
【補正対象項目名】全文
【補正方法】変更
【補正の内容】
【特許請求の範囲】
【請求項１】
保護エージェントを分散ネットワークに接続されたデバイスに自動配備する方法であって、
前記分散ネットワークとの間の通信及び前記分散ネットワーク内部の通信を監視するステップと、
前記分散ネットワークの内部に所在するデバイスによって行われる前記分散ネットワークの外部に所在するデバイスとの通信試行を検出するステップと、
前記分散ネットワークの内部に所在する前記デバイスが有効な保護エージェントを実行していないことを判定するステップと、
前記判定に応じて、試行された前記通信をブロックし、前記分散ネットワークの内部に所在する前記デバイスに対して、指定された記憶ロケーションから保護エージェントをダウンロードしてインストールするよう促すステップと、
を含む方法。
【請求項２】
請求項１に記載の方法を実施するコンピュータ実行可能な命令がそれ自体の内部に記憶されているコンピュータ可読媒体。
【請求項３】
前記分散ネットワークの外部に所在する前記デバイスとの前記通信試行を検出する前記ステップは、前記分散ネットワークの内部に所在する前記デバイスによって生成される、ＨＴＴＰ又はＨＴＴＰＳプロトコルを採用したメッセージ・トラフィックを検出するステップを含む、請求項１に記載の方法。
【請求項４】
前記分散ネットワークの外部に所在する前記デバイスとの前記通信試行を検出する前記ステップは、前記分散ネットワークの内部に所在する前記デバイスによって生成される、８０番ポート及び４４３番ポートのうちの１つ又は複数のポート上のメッセージ・トラフィックを検出するステップを含む、請求項１に記載の方法。
【請求項５】
前記分散ネットワークに接続されたデバイス上で実行されている保護エージェントによって生成される登録情報を周期的に受信して記憶するステップを更に含み、
前記分散ネットワークの内部に所在する前記デバイスが有効な保護エージェントを実行していないことを判定する前記ステップは、前記登録情報がいずれも前記分散ネットワークの内部に所在する前記デバイスに対応していないことを判定するステップを含む、
請求項１に記載の方法。
【請求項６】
前記分散ネットワークの内部に所在する前記デバイスが有効な保護エージェントを実行していないことを判定する前記ステップは、指定の時間間隔内に記憶された登録情報がいずれも前記分散ネットワークの内部に所在する前記デバイスに対応していないことを判定するステップを含む、請求項４に記載の方法。
【請求項７】
前記分散ネットワークの内部に所在する前記デバイスに対して、前記保護エージェントをダウンロードしてインストールするよう促す前記ステップは、それ自体が活動化されたときに前記指定された記憶ロケーションからの前記保護エージェントの前記ダウンロードを開始するハイパーリンクを提供するステップを含む、請求項１に記載の方法。
【請求項８】
前記分散ネットワークの内部に所在する前記デバイスは、クライアント及びサーバから成る群から選択される、請求項１に記載の方法。
【請求項９】
試行された前記通信をブロックする前記ステップは、前記分散ネットワークの内部に所在する前記デバイスと、前記分散ネットワークの外部に所在する少なくとも１つの他のデバイスとの間のネットワーク・トラフィックを許可する一方、前記分散ネットワークの内部に所在する前記デバイスと、前記分散ネットワークの外部に所在する前記デバイスとの間のネットワーク・トラフィックをブロックするステップを含む、請求項１に記載の方法。
【請求項１０】
保護エージェントを分散ネットワークに接続されたデバイスに自動配備する方法であって、
前記分散ネットワークとの間の通信及び前記分散ネットワーク内部の通信を監視するステップと、
前記分散ネットワークの外部に所在するデバイスによって行われる前記分散ネットワークの内部に所在するデバイスとの仮想私設ネットワーク・セッションの確立試行を検出するステップと、
前記分散ネットワークの外部に所在する前記デバイスが有効な保護エージェントを実行していないことを判定するステップと、
前記判定に応じて、試行された前記仮想私設ネットワーク・セッションをブロックし、前記分散ネットワークの外部に所在する前記デバイスに対して、指定された記憶ロケーションから保護エージェントをダウンロードしてインストールするよう促すステップと、
を含む方法。
【請求項１１】
請求項１０に記載の方法を実施するコンピュータ実行可能な命令がそれ自体の内部に記憶されているコンピュータ可読媒体。
【請求項１２】
前記分散ネットワークに接続されたデバイス上で実行されている保護エージェントによって生成される登録情報を周期的に受信して記憶するステップを更に含み、
前記分散ネットワークの外部に所在する前記デバイスが有効な保護エージェントを実行していないことを判定する前記ステップは、前記登録情報がいずれも前記分散ネットワークの外部に所在する前記デバイスに対応していないことを判定するステップを含む、
請求項１０に記載の方法。
【請求項１３】
前記分散ネットワークの外部に所在する前記デバイスが有効な保護エージェントを実行していないことを判定する前記ステップは、指定の時間間隔内に記憶された前記登録情報がいずれも前記分散ネットワークの外部に所在する前記デバイスに対応していないことを判定するステップを含む、請求項１２に記載の方法。
【請求項１４】
前記分散ネットワークの外部に所在する前記デバイスに対して、前記保護エージェントをダウンロードしてインストールするよう促す前記ステップは、それ自体が活動化されたときに前記指定された記憶ロケーションからの前記保護エージェントの前記ダウンロードを開始するハイパーリンクを提供するステップを含む、請求項１０に記載の方法。
【請求項１５】
試行された前記仮想私設ネットワーク・セッションをブロックする前記ステップは、少なくとも第２のアクティビティに関して試行された前記仮想私設ネットワーク・セッションを許可する一方、少なくとも第１のアクティビティに対して試行された前記仮想私設ネットワーク・セッションをブロックするステップを含む、請求項１０に記載の方法。
【請求項１６】
保護エージェントを分散ネットワークに接続されたデバイスに自動配備するシステムであって、
ネットワーク・トラフィックを監視し、前記分散ネットワークの内部に所在するデバイスによって行われる前記分散ネットワークの外部に所在するリソースとの通信試行、及び、前記分散ネットワークの外部に所在するデバイスによって行われる前記分散ネットワークの内部に所在するリソースとの仮想私設ネットワーク・セッションの確立試行のうちから選択される、試行されたインターネットワーク通信を検出するネットワーク・トラフィック・モニタと、
試行されたインターネットワーク通信の開始を担当するデバイスを識別し、
識別された前記デバイスが有効な保護エージェントを実行していないことを判定し、
前記判定に応じて、試行された前記インターネットワーク通信をセキュリティ・ポリシーに従ってブロックし、識別された前記デバイスに対して、指定された記憶ロケーションから保護エージェントをダウンロードしてインストールするよう促す
コンピュータ実行可能な命令を実行するプロセッサと、
を備えるシステム。